(57)【要約】【課題】地震等の外力が入力して天井と床との間に層間変位が生じた場合でも、パネルがパネル支持枠から脱落するのを防止し、安全性を確保する。【解決手段】天井面７０に設けられる天井レール３と、床面に設けられる床レール７と、天井レール３と床レール７との間に架設される複数のスタッドとからなるパネル支持枠２と、パネル支持枠２の開口部を閉塞するように設けられるとともに、裏面側に設けられたフック５０をスタッドの受け孔に引っ掛けることにより、パネル支持枠２に取り付けられるパネル３０とを備えた間仕切壁１であって、パネル３０の上端部裏面側に係止部５５を設け、係止部５５を天井レール３の内面側に係止させる。【選択図】図３
2008008112.tif 000002
【特許請求の範囲】
【請求項１】
天井面に設けられる天井レールと、床面に設けられる床レールと、前記天井レールと前記床レールとの間に架設される複数のスタッドとからなるパネル支持枠と、
該パネル支持枠の開口部を閉塞するように設けられるとともに、裏面側に設けられたフックを前記スタッドの受け孔に引っ掛けることにより、該パネル支持枠に取り付けられるパネルとを備えた間仕切壁であって、
前記パネルの上端部裏面側に係止部を設け、該係止部を前記天井レールの内面側に係止させたことを特徴とする間仕切壁。
【請求項２】
前記係止部を、前記パネルの上端部裏面側の少なくとも両端部に設けたことを特徴とする請求項１に記載の間仕切壁。
【請求項３】
前記パネルは、ガラス板と、該ガラス板の裏面周縁部に一体に設けられる環状の内側枠とからなり、該内側枠の上部に前記係止部を設けたことを特徴とする請求項１又は２に記載の間仕切壁。
【請求項４】
前記係止部は、前記内側枠の上部に固定される取付け部と、該取付け部に一体に設けられるとともに、前記天井レールの内面側に係止される爪部とからなることを特徴とする請求項３に記載の間仕切壁。
【請求項５】
前記パネルは、スチール製のパネル本体を備え、該パネル本体の上端部裏面側に前記係止部を設けたことを特徴とする請求項１又は２に記載の間仕切壁。
【請求項６】
前記係止部は、前記パネル本体の裏面側に沿わせた状態で、一端部が前記パネル本体の上端に固定され、他端が前記パネル本体の側端に固定される取付け部と、該取付け部に一体に設けられるとともに、前記天井レールの内面側に係止される爪部とからなることを特徴とする請求項５に記載の間仕切壁。
【発明の詳細な説明】
【技術分野】
【０００１】
本発明は、オフィスビル等の建物の室内空間を仕切るために設けられる間仕切壁に関し、特に、パネルの脱落防止機能を備えた間仕切壁に関する。
【背景技術】
【０００２】
オフィスビル等の建物の室内空間を仕切るために設けられる間仕切壁には種々のタイプのものがあり、例えば、室内空間の天井面に取り付けられる天井レールと、床面に取り付けられる床レールと、天井レールと床レールとの間に架設される複数のスタッドとからなるパネル支持枠と、パネル支持枠の天井レールと床レールと隣接するスタッドとによって囲まれる部分に形成される開口部を閉塞するように取り付けられるパネルとを備えた間仕切壁が知られている。
【０００３】
このような構成の間仕切り壁にあっては、パネルは、パネル支持枠の前面側又は後面側に位置した状態で、裏面側に設けたフックをスタッドの受け孔に引っ掛けることで、パネル支持枠の前面側又は後面側に開口部を閉塞するように取り付けられている。このため、地震等の外力が建物に入力して天井と床との間に層間変位が生じた場合に、その層間変位にパネルを追従させることができず、フックがスタッドの受け孔から外れてしまい、パネルがパネル支持枠から脱落する虞がある。
【０００４】
このような問題に対処するために、特許文献１には、スラブに懸吊機構を介して天井レールを吊持し、この天井レールに壁本体の上枠材をボルトにより固定し、床に床レールを固定し、この床レールに壁本体の下枠材を固定し、壁本体の両面に係止爪を係止させることでパネルを取り付け、隣接するパネルの両側縁の折返部に押圧金具を係止させ、この押圧金具をボルトにより壁本体の側枠材に固定することで、パネルの壁本体から脱落を防止するように構成した間仕切壁が開示されている。
【特許文献１】特開平８−２８４２９１号公報
【発明の開示】
【発明が解決しようとする課題】
【０００５】
ところで、上記のような構成の間仕切壁にあっては、地震等の外力が建物に入力して、天井と床との間に層間変位が生じた場合に、その層間変位に追従させてパネルを変位させることができるので、パネルが壁本体から脱落するのは防止できる。しかし、全体の構造が複雑であるために、取付け工事に手間がかかり、工事費が高くついてしまう。また、隣接するパネル間を連結する折返部及び押圧金具が露出しているため、ガラス製のパネルを使用するような場合には、ガラスとしての意匠性が損なわれてしまう。
【０００６】
本発明は、上記のような従来の問題に鑑みなされたものであって、地震等の外力が入力して天井と床との間に層間変位が生じた場合に、パネルの脱落を確実に防止することができるとともに、構造が簡単で取付け工事に要する手間を削減することができて、工事費を安く抑えることができ、さらに、ガラス製のパネルを使用しても、ガラスとしての意匠性が損なわれることがない、間仕切壁を提供することを目的とする。
【課題を解決するための手段】
【０００７】
上記のような課題を解決するために、本発明は、以下のような手段を採用している。
すなわち、請求項１に係る発明は、天井面に設けられる天井レールと、床面に設けられる床レールと、前記天井レールと前記床レールとの間に架設される複数のスタッドとからなるパネル支持枠と、該パネル支持枠の開口部を閉塞するように設けられるとともに、裏面側に設けられたフックを前記スタッドの受け孔に引っ掛けることにより、該パネル支持枠に取り付けられるパネルとを備えた間仕切壁であって、前記パネルの上端部裏面側に係止部を設け、該係止部を前記天井レールの内面側に係止させたことを特徴とする。
【０００８】
本発明による間仕切壁によれば、パネルは、上端部裏面側に設けた係止部が天井レールの内面側に係止されているので、地震等の外力が建物に入力して天井と床との間に層間変位が生じても、係止部が天井レールから外れるようなことはなく、スタッドの受け孔からフックが外れたとしても、パネルがパネル支持枠から脱落するようなことはない。
【０００９】
請求項２に係る発明は、請求項１に記載の間仕切壁であって、前記係止部を、前記パネルの上端部裏面側の少なくとも両端部に設けたことを特徴とする。
【００１０】
本発明による間仕切壁によれば、係止部は、パネルの上端部裏面側の少なくとも両端部に設けられているので、地震等の外力が建物に入力して天井と床との間に層間変位が生じ、その層間変位によってパネルに面内方向及び面内と直交する方向への外力が作用しても、その外力によって係止部が天井レールから外れるようなことはなく、スタッドの受け孔からフックが外れたとしても、パネルがパネル支持枠から脱落するようなことはない。
【００１１】
請求項３に係る発明は、請求項１又は２に記載の間仕切壁であって、前記パネルは、ガラス板と、該ガラス板の裏面周縁部に一体に設けられる環状の内側枠とからなり、該内側枠の上部に前記係止部を設けたことを特徴とする。
【００１２】
請求項４に係る発明は、請求項３に記載の間仕切壁であって、前記係止部は、前記内側枠の上部に固定される取付け部と、該取付け部に一体に設けられるとともに、前記天井レールの内面側に係止される爪部とからなることを特徴とする。
【００１３】
請求項５に係る発明は、請求項１又は２に記載の間仕切壁であって、前記パネルは、スチール製のパネル本体を備え、該パネル本体の上端部裏面側に前記係止部を設けたことを特徴とする。
【００１４】
請求項６に係る発明は、請求項５に記載の間仕切壁であって、前記係止部は、前記パネル本体の裏面側に沿わせた状態で、一端部が前記パネル本体の上端に固定され、他端が前記パネル本体の側端に固定される取付け部と、該取付け部に一体に設けられるとともに、前記天井レールの内面側に係止される爪部とからなることを特徴とする。
【発明の効果】
【００１５】
以上、説明したように、本発明の間仕切壁によれば、パネルは、上端部裏面側に設けた係止部が天井レールの内面側に係止されているので、地震等の外力が建物に入力して天井と床との間に層間変位が生じても、係止部が天井レールから外れるようなことはなく、スタッドの受け孔からフックが外れたとしても、パネルがパネル支持枠から脱落するようなことはなく、安全性を確保することができる。
【発明を実施するための最良の形態】
【００１６】
以下、図面を参照しながら本発明の実施の形態について説明する。
図１〜図６には、本発明による間仕切壁の第１の実施の形態が示されていて、図１はパネル支持枠の全体を示す斜視図、図２はパネルの係止部の取付け状態を示す部分拡大平面図、図３は図２のＡ−Ａ断面図、図４は図２のＢ−Ｂ断面図、図５（ａ）は係止部の正面図、図５（ｂ）は図５（ａ）の平面図、図５（ｃ）は図５（ａ）の側面図、図６はパネルの取付け手順を示す縦断面図である。
【００１７】
すなわち、この実施の形態に示す間仕切壁１は、オフィスビル等の建物の室内空間を仕切るために設けられるものであって、図１〜図４に示すように、室内空間の仕切り部に設けられるパネル支持枠２と、パネル支持枠２の前面側及び後面側にそれぞれ設けられるパネル３０とを備えている。
【００１８】
パネル支持枠２は、スチール材により形成されるものであって、図１に示すように、天井面７０に設けられる天井レール３と、床面７１に天井レール３に対向して設けられる床レール７と、天井レール３と床レール７との間に垂直に架設される少なくとも一対のスタッド１１とから構成され、天井レール３と床レール７と隣接する一対のスタッド１１とによって囲まれる部分に矩形状の開口部が形成され、この開口部を閉塞するようにパネル支持枠２の前面側及び後面側にそれぞれパネル３０が設けられている。
【００１９】
天井レール３は、図１、図３及び図４に示すように、帯板状の上板４と、上板４の幅方向の両端部に全長に亘って一体に設けられる一対の側板５、５とからなる断面略コ形状をなすものであって、一対の側板５、５を下方に向けた状態で上板４の上面が緩衝材であるガスケット６を介してビス止めにより天井面７０に一体に取り付けられている。
【００２０】
床レール７は、図１、図３及び図４に示すように、帯板状の下板８と、下板８の幅方向の両端部に全長に亘って一体に設けられる一対の側板９、９とからなる断面略コ形状をなすものであって、一対の側板９、９を上方に向けた状態で下板８の下面が緩衝材であるガスケット１０を介してビス止めにより床面７１に一体に取り付けられている。
【００２１】
スタッド１１は、図１、図２及び図３に示すように、スタッド本体１２と、スタッド本体１２の外側面に取り付けられるガスケット１８と、スタッド本体１２と床レール７との間に設けられる高さ調整金具２１とから構成されている。
【００２２】
スタッド本体１２は、帯板状のリブ部１３と、リブ部１３の幅方向の両端部にそれぞれ一体に設けられる角パイプ状のフランジ部１５とからなる断面略Ｈ型形状をなすものであって、両フランジ部１５が天井レール３の両側板５、５の内面側、及び床レール７の両側板９、９の内面側に位置するように、天井レール３と床レール７との間に垂直に架設されている。
【００２３】
スタッド本体１２のリブ部１３には、リブ部１３を貫通する矩形状の貫通孔１４が全長に亘って所定の間隔ごとに設けられている。また、スタッド本体１２の各フランジ部１５の外側面の中央部には、内側に凹む凹部１６が全長に亘って設けられ、この凹部１６を利用して後述するガスケット１８が各フランジ部１５の外側面に一体に取り付けられている。さらに、スタッド本体１２の各フランジ部１５の外側面の凹部１６の両側には、各フランジ部１５の外側面を貫通する矩形状の受け孔１７（図１参照）がそれぞれ全長に亘って所定の間隔ごとに設けられ、この受け孔１７内にパネル３０側のフック５０のフック部５２が引っ掛けられるように構成されている。
【００２４】
ガスケット１８は、帯板状のガスケット本体１９と、ガスケット本体１９の裏面側中央部に全長に亘って一体に設けられる凸部２０とからなり、この凸部２０をスタッド本体１２の各フランジ部１５の外側面の凹部１６内に嵌合させることにより、各フランジ部１５の外側面にそれぞれ一体に取り付けられている。
【００２５】
高さ調整金具２１は、床レール７の下板８の上面にスライド自在に載置される四角形板状の座板２２と、座板２２の中心部に垂直に立設される棒ねじ２３と、棒ねじ２３に螺着され、棒ねじ２３に沿って上下方向に移動可能な金具本体２４とから構成され、金具本体２４の上面にスタッド本体１２の下端を当接させることにより、スタッド本体１２の下端が金具本体２４の上下方向の位置に応じた位置に位置決めされる。金具本体２４の両端部には、上方に突出する突出片２５が一体に設けられ、この突出片２５をスタッド本体１２の各フランジ部１５の内側に挿入させることにより、金具本体２４がスタッド本体１２の下端からずれるのが防止される。
【００２６】
高さ調整金具２１の金具本体２４を棒ねじ２３上で回転させながら、棒ねじ２３に沿って金具本体２４上下方向に移動させることにより、金具本体２４の上下方向の位置を調整することができ、この調整した金具本体２４の上下方向の位置に応じた位置にスタッド本体１２の下端が位置決めされる。
【００２７】
パネル３０は、図２〜図４に示すように、長方形板状のガラス製のパネル本体３１と、パネル本体３１の裏面側の周縁部に一体に設けられる内側枠３２と、内側枠３２にリベット、ねじ等の取付け手段（図示せず）を介して一体に取り付けられるフック５０と、内側枠３２にねじ等の取付け手段（図示せず）を介して一体に取り付けられる係止部５５とを備えている。
【００２８】
内側枠３２は、図４に示すように、上枠３３と、下枠３４と、左右一対の側枠３５、３５とから構成され、パネル本体３１の裏面側の周縁部に接着材３６を介して一体に取り付けられる額縁状の取付け部３７と、取付け部３７の内周側に一体に設けられて、パネル本体３１から離れる方向に突出する角環状の枠本体３８とを備えている。
【００２９】
フック５０は、図４に示すように、長方形板状の取付け部５１と、取付け部５１の略中央部に一体に設けられる鉤状のフック部５２とから構成されるものであって、パネル本体３１の裏面側の両側部に沿って上下方向に所定の間隔ごとに配置され、かつフック部５２が下方を向くように、取付け部５１がリベット、ねじ等の取付け手段によって内側枠３２の取付け部３７に一体に取り付けられている。各フック５０のフック部５２をスタッド本体１２の各フランジ部１５の受け孔１７に引っ掛けることにより、パネル３０がパネル支持枠２の前面側又は後面側に取り付けられる。
【００３０】
係止部５５は、図２、図４及び図５（ａ）〜（ｃ）に示すように、上枠３３の枠本体３８の上面側にねじ等の取付け手段によって一体に取り付けられる長方形板状の取付け部５６と、取付け部５６の幅方向の一端部から上方に立ち上がる長方形板状の爪部５７とからなる略Ｌ形板状をなすものであって、爪部５７とパネル本体３１の裏面との間に所定の間隙が形成されるように、上枠３３の枠本体３８の両端部の上面側にそれぞれ取り付けられている。
【００３１】
係止部５５の爪部５７は、上端部がパネル本体３１の上端よりも上方に突出し、この突出している部分がパネル本体３１から離れる方向に所定の角度（本実施の形態においては約３０°）で屈曲され、天井レール３の側板５の内面側に係止させ易くしている。
【００３２】
上記のような構成のパネル３０をパネル支持枠２に取り付けるには、図６（ａ）に示すように、パネル３０をパネル支持枠２の前面側に位置し、図６（ｂ）に示すように、パネル３０を斜めに傾けた状態で上方に押し上げ、パネル本体３１の裏面と係止部５５の爪部５７との間に天井レール３の側板４を挿入させ、図６（ｃ）に示すように、裏面側の各フック５０のフック部５２をスタッド本体１２の各受け孔１７に引っ掛ける。このようにして、パネル支持枠２の前面側及び後面側にパネル３０が取り付けられる。なお、図６においては、パネル支持枠２の前面側へのパネル３０の取付け手順のみを示し、後面側への取付け手順は省略している。
【００３３】
上記のように構成した本実施の形態による間仕切壁１にあっては、パネル３０の裏面側の上端部に係止部５５を設けて、係止部５５の爪部５７を天井レール３の側板４の内面側に係止させるように構成したので、地震等の外力が建物に入力して建物の天井と床との間に層間変位が生じても、係止部５５の爪部５７が天井レール３の側板５から外れるようなことはなく、スタッド本体１２の受け孔１７からフック５０のフック部５２が外れたとしても、パネル３０がパネル支持枠２から脱落するようなことはなく、安全性を確保することができる。
【００３４】
また、パネル３０の裏面側に係止部５５を設けて、その係止部５５の爪部５７を天井レール３の側板５の内面側に係止させただけの簡単な構造であるので、工事に要する手間を削減することができる。
【００３５】
さらに、ガラス製のパネル本体３１の裏面側に内側枠３２、係止部５５、フック５０等を設けているので、それらが表面側に露出して見栄えが悪くなるようなことはなく、ガラスとしての意匠性を確保することができる。
【００３６】
図７には、本発明による間仕切壁の第２の実施の形態が示されていて、図７はパネルの係止部の取付け状態を示す部分拡大平面図、図８は図７のＡ−Ａ断面図、図９は図７のＢ−Ｂ断面図、図１０（ａ）は係止部の正面、図１０（ｂ）は図１０（ａ）の平面図、図１０（ｃ）は図１０（ａ）の側面図、図１１はパネルの取付け手順を示す縦断面図である。
【００３７】
すなわち、本実施の形態の間仕切壁１は、図７〜図１０に示すように、パネル本体４０を、長方形板状の石膏ボード４６と、スチールパネル４１とによって構成し、スチールパネル４１にフック５０及び係止部６０を取り付けたものであって、その他の構成は前記第１の実施の形態に示すものと同様であるので、同一の部分には同一の番号を付してその詳細な説明は省略するものとする。
【００３８】
スチールパネル４１は、スチール製の板材に曲げ加工を施すことにより所定の形状に形成したものであって、石膏ボード４６の表面側に設けられる表板４２と、上面側に設けられる上板４３と、下面側に設けられる下板４４と、両側面側に設けられる側板４５とから構成されている。
【００３９】
この場合、上板４３及び下板４４は、スチールパネル４１の上下端部を裏面方向に直角に折り曲げることによりＬ形状に形成され、両側板４５、４５は、スチールパネル４１の両側端部を裏面方向に直角に折り曲げ、この折り曲げた部分をさらに中間部から内方に直角に折り曲げることによりコ形状に形成されている。
【００４０】
スチールパネル４１の各側板４５には、第１の実施の形態と同一構成のフック５０が上下方向に所定の間隔ごとに一体に取り付けられ、各フック５０のフック部５２をスタッド本体１２の各受け孔１７に引っ掛けることで、パネル３０がパネル支持枠２の前面側又は後面側に取り付けられる。
【００４１】
係止部６０は、図９及び図１０に示すように、一端部が面内と直交する方向に屈曲される略Ｌ形板状の取付け部６１と、取付け部６１の切欠部分に一体に設けられる爪部６２とから構成され、取付け部６１をパネル本体４０の裏面側に沿わせた状態で、一端部の屈曲された部分をスチールパネル４１の上板４３の上面に位置させ、他端部をスチールパネル４１の側板４５の上面に位置させ、この状態で両端部をねじ等の取付け手段（図示せず）によってスチールパネル４１の上板４３及び側板４５に一体に取り付けている。
【００４２】
そして、上記のような構成のパネル３０をパネル支持枠２に取り付けるには、図１１（ａ）に示すように、パネル３０をパネル支持枠２の前面側に位置し、図１１（ｂ）に示すように、パネル３０を斜めに傾けた状態で上方に押し上げ、パネル本体４０の裏面と係止部６０の爪部６２との間に天井レール３の側板５を挿入させ、図１１（ｃ）に示すように、裏面側の各フック５０のフック部５２をスタッド本体１２の各受け孔１７に引っ掛ける。このようにして、パネル支持枠２の前面側及び後面側にパネル３０が取り付けられる。
なお、図１１においては、パネル支持枠２の前面側へのパネル３０の取付け手順のみを示し、後面側への取付け手順は省略している。
【００４３】
上記のように構成した本実施の形態による間仕切壁１にあっても、前記第１の実施の形態に示すものと同様に、パネル３０の裏面側の上端部に係止部６０を設けて、係止部６０の爪部６２を天井レール３の側板５の内面側に係止させるように構成したので、地震等の外力が建物に入力して建物の天井と床との間に層間変位が生じても、係止部６０の爪部６２が天井レール３の側板５から外れるようなことはなく、スタッド本体１２の受け孔１７からフック５０のフック部５２が外れたとしても、パネル３０がパネル支持枠２から脱落するようなことはなく、安全性を確保することができる。
【００４４】
また、パネル３０の裏面側に係止部６０を設けて、その係止部６０の爪部６２を天井レール３の側板５の内面側に係止させただけの簡単な構造であるので、工事に要する手間を削減することができる。
【００４５】
なお、前記各実施の形態においては、係止部５５、６０として、取付け部５６、６１と爪部５７、６２とからなる構成のものを挙げたが、これに限定することなく、天井レール３の側板５の内面側に係止させて、パネル３０の脱落を防止することのできる構成のものであればよい。
【００４６】
また、前記各実施の形態においては、本発明による間仕切壁１を建物の室内空間を仕切る場合に適用したが、建物の壁面をパネルによって飾るような場合に適用してもよいものであり、その場合にも同様の効果を奏する。
【図面の簡単な説明】
【００４７】
【図１】本発明による間仕切壁のパネル支持枠の全体を示す斜視図である。
【図２】本発明による間仕切壁の第１の実施の形態のパネルの係止部の取付け状態を示す部分拡大平面図である。
【図３】図２のＡ−Ａ断面図である。
【図４】図２のＢ−Ｂ断面図である。
【図５】（ａ）は係止部の正面、（ｂ）は（ａ）の平面図、（ｃ）は（ａ）の側面図である。
【図６】パネルの取付け手順を示す縦断面図である。
【図７】本発明による間仕切壁の第２の実施の形態のパネルの係止部の取付け状態を示す部分拡大平面図である。
【図８】図７のＡ−Ａ断面図である。
【図９】図７のＢ−Ｂ断面図である。
【図１０】（ａ）は係止部の正面、（ｂ）は（ａ）の平面図、（ｃ）は（ａ）の側面図である。
【図１１】パネルの取付け手順を示す縦断面図である。
【符号の説明】
【００４８】
１  間仕切壁、２  パネル支持枠、３  天井レール、４  上板、
５  側板、６  ガスケット、７  床レール、８  下板、９  側板、
１０  ガスケット、１１  スタッド、１２  スタッド本体、
１３  リブ部、  １４  貫通孔、１５  フランジ部、１６  凹部、
１７  受け孔、  １８  ガスケット、１９  ガスケット本体、
２０  凸部、２１  高さ調整金具、２２  座板、２３  棒ねじ、
２４  金具本体、２５  突出片、３０  パネル、３１  ガラス板、
３２  内側枠、３３  上枠、３４  下枠、３５  側枠、
３６  接着材、３７  取付け部、３８  枠本体、
４０  スチール製のパネル本体、４１  スチールパネル、４２  表板、
４３  上板、４４  下板、４５  側板、  ４６  石膏ボード、
５０  フック、５１  取付け部、５２  フック部、５５  係止部、
５６  取付け部、５７  爪部、６０  係止部、６１  取付け部、
６２  爪部、７０  天井面、７１  床面
【図１】
2008008112.tif 000003
【図２】
2008008112.tif 000004
【図３】
2008008112.tif 000005
【図４】
2008008112.tif 000006
【図５】
2008008112.tif 000007
【図６】
2008008112.tif 000008
【図７】
2008008112.tif 000009
【図８】
2008008112.tif 000010
【図９】
2008008112.tif 000011
【図１０】
2008008112.tif 000012
【図１１】
2008008112.tif 000013